(57)【要約】【課題】ロックアームのロック解除操作を円滑に行うことができるようにする。【解決手段】ハウジング１０には、ロックアーム１８の基端部を覆うように配置される第１壁２８と、ロックアーム１８の先端部を覆うように配置され、第１壁２８との間にロックアーム１８の中間部に対してロック解除操作を行うための解除空間３２を有する第２壁２９とが形成されている。解除空間３２に臨む位置には、解除空間３２を通してロックアーム１８の中間部をロック解除方向に押圧する操作を容易に行うための押圧容易部（ブリッジ部２６、突部３３、アーム部２１Ａ、凹縁部３７、凹面部３８、可撓片３９、相手可撓片４１）が形成されている。【選択図】図１
2011018617.tif 000002
【特許請求の範囲】
【請求項１】
相手ハウジングに嵌合可能なハウジングと、
前記ハウジングに形成され、基端から先端にかけて片持ち状に延び、前記相手ハウジングに形成された相手ロック部を弾性的に係止して両ハウジングを嵌合状態にロックするロックアームと、
前記ハウジングに形成され、前記ロックアームの基端部を覆うように配置される第１壁と、
前記ハウジングに形成され、前記ロックアームの先端部を覆うように配置され、前記第１壁との間に前記ロックアームの中間部に対してロック解除操作を行うための解除空間を有する第２壁と、
前記解除空間に臨む位置に形成され、前記解除空間を通して前記ロックアームの中間部をロック解除方向に押圧する操作を容易に行うための押圧容易部とを備えることを特徴とするコネクタ。
【請求項２】
前記ロックアームは一対のアーム片を有し、両アーム片間には、前記両ハウジングの嵌合時に、前記相手ロック部の先端部が嵌り込むロック溝が形成され、前記両アーム片の中間部が前記解除空間に臨むように配置され、
前記押圧容易部は、前記両アーム片の中間部間に架け渡されたブリッジ部とされていることを特徴とする請求項１記載のコネクタ。
【請求項３】
前記ロックアームは一対のアーム片を有し、両アーム片間には、前記両ハウジングの嵌合時に、前記相手ロック部の先端部が嵌り込むロック溝が形成され、前記両アーム片の中間部が前記解除空間に臨むように配置され、
前記押圧容易部は、前記両アーム片の中間部にて前記解除空間の開口側へ突出する突部とされていることを特徴とする請求項１記載のコネクタ。
【請求項４】
前記ロックアームは単一のアーム部を有し、前記アーム部の先端部には、前記両ハウジングの嵌合時に、前記相手ロック部の先端部を係止するロック突起が形成され、前記アーム部の中間部が前記解除空間に臨むように配置され、
前記押圧容易部は、前記アーム部の中間部における中実板状の部分によって構成されていることを特徴とする請求項１記載のコネクタ。
【請求項５】
前記押圧容易部は、前記第１壁における前記解除空間に臨む縁部にて弧状に凹む部分によって構成されていることを特徴とする請求項１記載のコネクタ。
【請求項６】
前記ロックアームは一対のアーム片を有し、両アーム片間には、前記両ハウジングの嵌合時に、前記相手ロック部の先端部が嵌り込むロック溝が形成され、前記両アーム片の中間部が前記解除空間に臨むように配置され、
前記押圧容易部は、前記両アーム片の中間部における前記解除空間に臨む面にて弧状に凹む部分によって構成されていることを特徴とする請求項１記載のコネクタ。
【請求項７】
前記押圧容易部は、前記第１壁から前記解除空間の開口を覆うように突出する薄肉の可撓片とされていることを特徴とする請求項１記載のコネクタ。
【請求項８】
前記相手ハウジングには相手ロック部が形成され、前記相手ロック部には、前記両ハウジングの嵌合時に、前記解除空間の開口を覆うように突出する薄肉の相手可撓片が形成され、前記押圧容易部は、前記相手可撓片とされていることを特徴とする請求項１記載のコネクタ。
【発明の詳細な説明】
【技術分野】
【０００１】
本発明は、コネクタに関する。
【背景技術】
【０００２】
特許文献１には従来のコネクタが開示されている。このものは、相手ハウジングに嵌合可能なハウジングと、ハウジングに装着される端子金具とを備えている。ハウジングには基端から先端にかけて延びる片持ち状のロックアームが形成されている。両ハウジングが正規嵌合されると、ロックアームが相手ハウジングに形成された相手ロック部を弾性的に係止して、両ハウジングが嵌合状態にロックされるようになっている。
【０００３】
また、ハウジングには、ロックアームの基端部を覆うように配置される第１壁と、ロックアームの先端部を覆うように配置される第２壁とが形成され、第１、第２壁間にはロックアームの中間部への解除操作を行うための解除空間が保有されている。
【先行技術文献】
【特許文献】
【０００４】
【特許文献１】特開２００８−６６０３０号公報
【発明の概要】
【発明が解決しようとする課題】
【０００５】
ところで、上記従来のコネクタは、解除空間の開口面積が大きくない等の理由により、解除空間を通してロックアームの中間部への解除操作を行い難いという問題があった。
本発明は上記のような事情に基づいて完成されたものであって、ロック解除操作を円滑に行うことができるようにすることを目的とする。
【課題を解決するための手段】
【０００６】
上記の目的を達成するための手段として、請求項１の発明は、相手ハウジングに嵌合可能なハウジングと、前記ハウジングに形成され、基端から先端にかけて片持ち状に延び、前記相手ハウジングに形成された相手ロック部を弾性的に係止して両ハウジングを嵌合状態にロックするロックアームと、前記ハウジングに形成され、前記ロックアームの基端部を覆うように配置される第１壁と、前記ハウジングに形成され、前記ロックアームの先端部を覆うように配置され、前記第１壁との間に前記ロックアームの中間部に対してロック解除操作を行うための解除空間を有する第２壁と、前記解除空間に臨む位置に形成され、前記解除空間を通して前記ロックアームの中間部をロック解除方向に押圧する操作を容易に行うための押圧容易部とを備えるところに特徴を有する。
【０００７】
請求項２の発明は、請求項１に記載のものにおいて、前記ロックアームは一対のアーム片を有し、両アーム片間には、前記両ハウジングの嵌合時に、前記相手ロック部の先端部が嵌り込むロック溝が形成され、前記両アーム片の中間部が前記解除空間に臨むように配置され、前記押圧容易部は、前記両アーム片の中間部間に架け渡されたブリッジ部とされているところに特徴を有する。
【０００８】
請求項３の発明は、請求項１に記載のものにおいて、前記ロックアームは一対のアーム片を有し、両アーム片間には、前記両ハウジングの嵌合時に、前記相手ロック部の先端部が嵌り込むロック溝が形成され、前記両アーム片の中間部が前記解除空間に臨むように配置され、前記押圧容易部は、前記両アーム片の中間部にて前記解除空間の開口側へ突出する突部とされているところに特徴を有する。
【０００９】
請求項４の発明は、請求項１に記載のものにおいて、前記ロックアームは単一のアーム部を有し、前記アーム部の先端部には、前記両ハウジングの嵌合時に、前記相手ロック部の先端部を係止するロック突起が形成され、前記アーム部の中間部が前記解除空間に臨むように配置され、前記押圧容易部は、前記アーム部の中間部における中実板状の部分によって構成されているところに特徴を有する。
【００１０】
請求項５の発明は、請求項１に記載のものにおいて、前記押圧容易部は、前記第１壁における前記解除空間に臨む縁部にて弧状に凹む部分によって構成されているところに特徴を有する。
【００１１】
請求項６の発明は、請求項１に記載のものにおいて、前記ロックアームは一対のアーム片を有し、両アーム片間には、前記両ハウジングの嵌合時に、前記相手ロック部の先端部が嵌り込むロック溝が形成され、前記両アーム片の中間部が前記解除空間に臨むように配置され、前記押圧容易部は、前記両アーム片の中間部における前記解除空間に臨む面にて弧状に凹む部分によって構成されているところに特徴を有する。
【００１２】
請求項７の発明は、請求項１に記載のものにおいて、前記押圧容易部は、前記第１壁から前記解除空間の開口を覆うように突出する薄肉の可撓片とされているところに特徴を有する。
【００１３】
請求項８の発明は、請求項１に記載のものにおいて、前記相手ハウジングには相手ロック部が形成され、前記相手ロック部には、前記両ハウジングの嵌合時に、前記解除空間の開口を覆うように突出する薄肉の相手可撓片が形成され、前記押圧容易部は、前記相手可撓片とされているところに特徴を有する。
【発明の効果】
【００１４】
＜請求項１の発明＞
押圧容易部によってロックアームの中間部をロック解除方向に押圧する操作が容易に行えるから、ロック解除操作を円滑に行うことができる。
【００１５】
＜請求項２の発明＞
押圧容易部が両アーム片の中間部間に架け渡されたブリッジ部とされているから、ロック解除時にロック溝に指先が入り込むのが防止される。また、ブリッジ部によって、ハウジング内に外部異物が進入するのが回避されるとともに、両アーム片の剛性が高められる。
【００１６】
＜請求項３の発明＞
押圧容易部が両アーム片の中間部にて解除空間の開口側へ突出する突部とされているから、解除空間に指を深く挿入しなくても、ロック解除操作を容易に行うことができる。
【００１７】
＜請求項４の発明＞
ロックアームが単一のアーム部を有し、押圧容易部がアーム部の中間部における中実板状の部分によって構成されているから、ロック解除時にロック溝に指先が入り込む等といった事態が起こり得ず、良好な解除性が確保される。また、ロック溝を形成しなくて済む分、アーム部の幅寸法を小さくできる。
【００１８】
＜請求項５の発明＞
押圧容易部が第１壁における解除空間に臨む縁部にて弧状に凹む部分によって構成されているため、この凹む部分側に指を傾けて逃がすことができ、指の腹でロックアームの中間部を押圧できる。したがって、指先の爪がロックアームに当たる等して、ロックアームが傷付くのが防止される。
【００１９】
＜請求項６の発明＞
押圧容易部が両アーム片の中間部における解除空間に臨む面にて弧状に凹む部分によって構成されているため、この凹む部分に指を宛がって両アーム片の中間部を押圧することができ、指へのフィット感に優れる。また、両アーム片の中間部を押圧する際に指が滑るのが回避される。
【００２０】
＜請求項７の発明＞
押圧容易部が第１壁から解除空間の開口を覆うように突出する薄肉の可撓片とされているため、可撓片をロックアーム側へ押圧して撓み変形させることにより、可撓片によってロックアームの中間部をロック解除方向に押圧することができる。したがって、解除空間に指を深く挿入しなくても、ロック解除操作を容易に行うことができる。また、可撓片によってロックアームの中間部が外部異物から保護される。
【００２１】
＜請求項８の発明＞
相手ロック部には両ハウジングの嵌合時に解除空間の開口を覆うように突出する薄肉の相手可撓片が形成され、押圧容易部が相手可撓片とされているため、相手可撓片をロックアーム側へ押圧して撓み変形させることにより、相手可撓片によってロックアームの中間部をロック解除方向に押圧することができる。したがって、解除空間に指を深く挿入しなくても、ロック解除操作を容易に行うことができる。また、相手可撓片が相手ハウジングに形成されているため、第１、第２壁及び解除空間の形状の自由度が高められる。
【図面の簡単な説明】
【００２２】
【図１】実施形態１のコネクタにおいて、嵌合状態にある両ハウジングの断面図である。
【図２】ハウジングの断面図である。
【図３】ハウジングの正面図である。
【図４】ハウジングの平面図である。
【図５】実施形態２のコネクタにおいて、ハウジングの断面図である。
【図６】ハウジングの平面図である。
【図７】実施形態３のコネクタにおいて、嵌合状態にある両ハウジングの断面図である。
【図８】ハウジングの断面図である。
【図９】ハウジングの正面図である。
【図１０】ハウジングの平面図である。
【図１１】相手ハウジングの平面図である。
【図１２】実施形態４のコネクタにおいて、嵌合状態にある両ハウジングの断面図である。
【図１３】ハウジングの平面図である。
【図１４】実施形態５のコネクタにおいて、嵌合状態にある両ハウジングの断面図である。
【図１５】実施形態６のコネクタにおいて、ハウジングの断面図である。
【図１６】ハウジングの平面図である。
【図１７】実施形態７のコネクタにおいて、嵌合状態にある両ハウジングの断面図である。
【図１８】ロックアームがロック解除方向に押圧されたときの両ハウジングの断面図である。
【図１９】嵌合状態にある両ハウジングの平面図である。
【図２０】相手ハウジングの断面図である。
【図２１】ハウジングの平面図である。
【発明を実施するための形態】
【００２３】
＜実施形態１＞
本発明の実施形態１を図１ないし図４によって説明する。実施形態１のコネクタは、相手ハウジング６０に嵌合可能なハウジング１０と、ハウジング１０に装着される端子金具８０とを備えている。なお、以下の説明において前後方向については、両ハウジング１０、６０の相互の嵌合面側を前方とする。
【００２４】
相手ハウジング６０は合成樹脂製であって、図１に示すように、全体として筒状のフード部６１を有している。フード部６１内には相手端子金具のタブ９１が突出して配置されている。また、相手ハウジング６０には相手ロック部６２が形成されている。相手ロック部６２は、フード部６１の奥壁の上面から立ち上がったあと前方へ突出する形状とされ、その先端部にはロック爪６３が下向きに突出して形成されている。ロック爪６３の後面は下端に向けて後退する逆テーパ状の被係止面６４とされている。
【００２５】
ハウジング１０は合成樹脂製であって、図２及び図３に示すように、端子金具８０を装着可能なハウジング本体１１と、ハウジング本体１１の周りを取り囲む嵌合筒部１２と、嵌合筒部１２及びハウジング本体１１を互いに連結する連結部１３とを備えている。嵌合筒部１２とハウジング本体１１との間には、両ハウジング１０、６０の嵌合時に相手のフード部６１が進入する嵌合空間１４が前方に開口して形成されている。連結部１３は、ハウジング本体１１の前後方向中央より少し後方と嵌合筒部１２の後端との間に架け渡して形成されている。
【００２６】
ハウジング本体１１の内部には横一例に並ぶ複数のキャビティ１５が前後方向に形成され、各キャビティ１５の内壁の下面には撓み可能なランス１６が前方へ突出して形成されている。各キャビティ１５内には後方から端子金具８０が挿入され、正規挿入された端子金具８０はランス１６によって弾性的に抜け止めされるようになっている。
【００２７】
端子金具８０は導電性金属板を曲げ加工等して一体に成形され、前方から相手側のタブ９１を受けてこれと接続可能な筒状の接続部８１と、接続部８１の後方に位置して電線７０の端末部の芯線にかしめ付けられるワイヤバレル８２と、ワイヤバレル８２の後方に位置して電線７０の端末部の絶縁被覆に嵌着されたゴム栓７５にかしめ付けられるインシュレーションバレル８３とを備えている。ゴム栓７５は、端子金具８０とともにキャビティ１５内に挿入され、キャビティ１５の内周面に密着されることで、ハウジング１０内を液密にシールする役割をはたす。
【００２８】
ハウジング本体１１の外周面における連結部１３の前方には段差部１７が形成され、段差部１７を境として後方の部分が前方よりも外側に配置されている。また、ハウジング本体１１の外周面における段差部１７の前方にはシールリング７７が嵌着されている。シールリング７７は、両ハウジング１０、６０の嵌合時にハウジング本体１１とフード部６１との間に弾縮して配置され、両ハウジング１０、６０間を液密にシールする役割をはたす。
【００２９】
ハウジング本体１１の上面にはロックアーム１８が形成されている。ロックアーム１８は、連結部１３と一体化しつつハウジング本体１１の上面から立ち上がる支点部１９と、支点部１９から前方へ片持ち状に延びるアーム部２１とを有し、支点部１９を中心としてアーム部２１が上下方向に撓み可能とされている。アーム部２１は、互いに平行に延びる幅方向に一対のアーム片２２と、両アーム片２２の先端部同士を互いに連結するロック本体２３とからなる。ロックアーム１８におけるロック本体２３の後方でかつ両アーム片２２間にはロック溝２４が前後方向に延出するとともに後面に開口して形成されている。ロック溝２４の前端でもあるロック爪６３の後面は上端に向けて後退する逆テーパ状の係止面２５とされている。両ハウジング１０、６０の嵌合時には、ロック溝２４に相手ロック部６２のロック爪６３が嵌り、ロック爪６３の被係止面６４にロック本体２３の係止面２５が対峙することで、両ハウジング１０、６０が離脱規制状態に保持されるようになっている。
【００３０】
さて、両アーム片２２の中間部同士はブリッジ部２６を介して互いに連結されている。ブリッジ部２６は、両アーム片２２と同じ厚みを有するとともに、両アーム片２２の上面及び下面と面一で連なる形状をなしている。アーム部２１の上面は、ブリッジ部２６の上面も含めて凹凸のないフラット面とされている。
【００３１】
嵌合筒部１２には、アーム部２１の中間部を挟んだ両側に一対の保護壁２７が立ち上げ形成されている。また、嵌合筒部１２には、アーム部２１の基端部を覆うように配置される第１壁２８が形成されているとともに、アーム部２１の先端部を覆うように配置される第２壁２９が形成されている。第１壁２８は連結部１３の上端から前方へ張り出すとともに両保護壁２７に一体に連なる形態とされ、第２壁２９は両保護壁２７に一体に連なるとともにその前端がハウジング１０の前端を構成する形態とされている。第１壁２６は第２壁２９よりも薄肉とされている。
【００３２】
また、第２壁２９とロックアーム１８の先端部との間には、前方から相手ロック部６２が進入可能な進入空間３１が前方に開口するとともに嵌合空間１４に連通して形成されている。第２壁２９とロックアーム１８との間は進入空間３１を有する分、第１壁２８とロックアーム１８との間の間隙よりも大きくされ、第２壁２９は第１壁２８よりも高い位置に配置されている。嵌合筒部１２における第１、第２壁２８、２９間で、かつ両保護壁２７間には、図４に示すように、平面視略矩形の解除空間３２が形成されている。解除空間３２には、アーム部２１の中間部が臨むように配置され、上方から指の先端が挿入されてブリッジ部２６の上面に当接可能とされている。なお、ブリッジ部２６は、解除空間３２の中央部に配置されている。
【００３３】
次に、本実施形態の作用を説明する。
両ハウジング１０、６０を嵌合させるに先立ち、図２に示すように、ハウジング本体１１のキャビティ１５内に電線７０及びゴム栓７５付きの端子金具８０を挿入するとともに、ハウジング本体１１の外周面にシールリング７７を嵌着させる。続いて、ハウジング１０を相手ハウジング６０に正対させ、その状態で第１壁２８の後端角部等を指で押しながら、フード部６１内にハウジング本体１１を挿入し、もって両ハウジング１０、６０の嵌合動作を進める。両ハウジング１０、６０の嵌合過程では、進入空間３１に相手ロック部６２が進入するとともに、ロック本体２３がロック爪６３と干渉して、ロックアーム１８が下方へ撓み変形される。両ハウジング１０、６０が正規嵌合されると、図１に示すように、ロックアーム１８が弾性復帰するとともに、ロック溝２４にロック爪６３が嵌り込み、係止面２５と被係止面６４とが互いに対峙することで、両ハウジング１０、６０が嵌合状態にロックされる。このとき、ロック本体２３が相手ロック部６２を下方からパチンと叩いてロック音が発せられ、両ハウジング１０、６０が正規嵌合されたことが検知される。また、両ハウジング１０、６０が正規嵌合されると、タブ９１が端子金具８０の接続部８１内に正規深さで挿入されて電気的に接続される。
【００３４】
メンテナンス等の事情により両ハウジング１０、６０を離脱させる際には、解除空間３２に上方から指を挿入し、指の先端でブリッジ部２６を押圧する。すると、ロックアーム１８がロック解除方向となる下方へ撓み変形されて、ロック爪６３とロック本体２３との係止状態が解除される。この状態で両ハウジング１０、６０を反対方向に引っ張ると、両ハウジング１０、６０を互いに引き離すことが可能になる。
【００３５】
このように実施形態１によれば、ブリッジ部２６によってロックアーム１８をロック解除方向に押圧する操作を容易に行えるから、ロック解除操作を円滑に行うことができる。また、ブリッジ部２６によってロック解除時に両アーム片２２間のロック溝２４に指先の一部が入り込むことがないため、指先が痛むのを防止できる。また、ブリッジ部２６によって、ハウジング１０内に外部異物が進入するのが回避されるとともに、両アーム片２２の剛性が高められる。
【００３６】
＜実施形態２＞
図５及び図６は、本発明の実施形態２を示す。実施形態２では、ロックアーム１８をロック解除方向に押圧する操作を容易に行う手段（押圧容易部）として、ブリッジ部２６の代えて突部３３を設けている点で実施形態１とは異なる。その他は、実施形態１と概ね同様であり、実施形態１と同様の構成には同一符合を付し、重複する説明は省略する。
【００３７】
ロックアーム１８の両アーム片２２の先端部同士は、実施形態１と同様、ロック本体２３によって互いに連結されているが、両アーム片２２の中間部同士は互いに連結されることなく離間されている。
両アーム片２２の中間部の上面にはそれぞれ突部３３が突出して形成されている。両突部３３は解除空間３２に臨むように配置され、それぞれ同形同大とされている。また、両突部３３の上面（突出端面）は前端から後端にかけて緩やかな下り勾配の押圧面３４とされ、この押圧面３４に沿って指の先端を宛がうことが可能とされている。また、両突部３３の上面の前端及び後端にはアールが付けられ、ここに指が触れたときに指の痛みが軽減されるようにしてある。
【００３８】
両ハウジング１０、６０を互いに離脱させるにあたり、解除空間３２に上方から指を挿入すると、指の先端が両突部３３の押圧面３４に当接して、ロックアーム１８をロック解除方向となる下方へ撓み変形させることができる。この場合、両突部３３の押圧面３４がアーム部２１の上面よりも解除空間３２の開口側に底上げされた位置にあるから、解除空間３２に指をさほど深く挿入しなくても、ロックアーム１８をロック解除方向に撓み変形させることができる。したがって、解除空間３２への指の挿入途中で、第１、第２壁２８、２９間及び両保護壁２７間に指が圧迫挟持されるのが回避される。
【００３９】
＜実施形態３＞
図７ないし図１１は、本発明の実施形態３を示す。実施形態３では、ロックアーム１８Ａをロック解除方向に押圧する操作を容易に行うために、ロックアーム１８Ａ及び相手ロック部６２の形状等を実施形態１から変更している。その他は、実施形態１と概ね同様であり、実施形態１と同様の構成には同一符合を付し、重複する説明は省略する。
【００４０】
相手ロック部６２Ａは、図７及び図１１に示すように、フード部６１の奥壁の上面上方から前方へ突出する相手ロック片６５を有しており、実施形態１と違ってロック爪６３を有していない。相手ロック片６５の幅方向中央部には相手ロック溝６６が前後方向に延出するとともに後面に開口して形成されている。相手ロック部６２Ａの先端部には相手ロック本体６７が形成され、相手ロック溝６６の前端でもある相手ロック本体６７の後面が被係止面６４Ａとされている。
【００４１】
ロックアーム１８Ａは、図８に示すように、ハウジング本体１１の上面から立ち上げ形成された支点部１９Ａと、支点部１９Ａの上端から前方へ突出するアーム部２１Ａとを有し、全体として単一の中実板状をなしている。つまり、ロックアーム１８Ａは実施形態１と違ってロック溝２４を有していない。アーム部２１Ａの上面は凹凸のフラット面とされ、ロックアーム１８Ａが自然状態にあるときには略水平に配置される。アーム部２１Ａの先端部の幅方向中央部には上方へ突出するロック突起３５が形成され、ロック突起３５の後面が係止面２５Ａとされている。図１０に示すように、第１壁２８には、ロック突起３５の後方の投影位置に、ロック突起３５を成形するための金型が通過することによって前後方向に貫通する貫通溝３６が形成されている。このため、第１壁２８は幅方向に分割された形態となっている。解除空間３２は貫通溝３６を通して後方に開放されている。
アーム部２１Ａの中間部は、解除空間３２及び貫通溝３６に臨むように配置されている。解除空間３２の開口面積のうちの半分以上はアーム部２１Ａの中間部で占有されている。
【００４２】
両ハウジング１０、６０の嵌合過程では、ロック突起３５が相手ロック本体６７と干渉して、アーム部２１Ａが支点部１９Ａを支点として下方へ撓み変形される。両ハウジング１０、６０が正規嵌合されると、図アーム部２１Ａが弾性復帰するとともに、ロック突起３５が相手ロック溝６６に嵌り、係止面２５と被係止面６４Ａとが互いに対峙することで、両ハウジング１０、６０が嵌合状態にロックされる。
【００４３】
メンテナンス等に応じて両ハウジング１０、６０を離脱させる際には、解除空間３２に上方から指を挿入する。すると、指の先端がアーム部２１Ａの中間部に当接して、ロックアーム１８Ａがロック解除方向となる下方へ撓み変形される。ロックアーム１８Ａの弾性変位に伴い、ロック突起３５が相手ロック溝６６から離間して係止状態が解除される。この状態で、両ハウジング１０、６０を互いに反対方向に引っ張ることにより、両ハウジング１０、６０を互いに引き離すことが可能になる。
【００４４】
実施形態３によれば、ロックアーム１８Ａが単一のアーム部２１Ａを有し、アーム部２１Ａの中間部における中実板状の部分を指を押圧することでロックアーム１８Ａのロック解除操作を容易に行えるようにしているから、ロック解除時にロック溝２４に指先の一部が入り込む等といった事態が起こり得ず、良好な解除性が確保される。また、ロック溝２４を形成しなくて済む分、アーム部２１Ａの幅寸法を小さくできる。さらに、アーム部２１Ａの中間部の上面が凹凸のないフラット面とされるため、ロック解除時に、指先が痛むのを回避できる。
【００４５】
＜実施形態４＞
図１２及び図１３は、本発明の実施形態４を示す。実施形態４では、ロックアーム１８をロック解除方向に押圧する操作を容易に行う手段（押圧容易部）として、ブリッジ部２６に代えて凹縁部３７を設けている点で実施形態１とは異なる。その他は実施形態１と概ね同様であり、実施形態１と同様の構成には同一符合を付し、重複する説明は省略する。
【００４６】
ロックアーム１８はブリッジ部２６を有さず、両アーム片２２の中間部同士は互いに連結されることなく離間されている。
解除空間３２の後縁部には、図１３に示すように、解除空間３２に臨む位置に、その幅方向両端から中央部に向けて次第に後退する凹縁部３７が形成されている。凹縁部３７はアール状（弧状）に凹む形状とされ、この凹縁部３７の形成分、解除空間３２の開口面積が増加している。
【００４７】
両ハウジング１０、６０を互いに離脱させる場合に、図１２に示すように、解除空間３２に上方から指を挿入すると、指を凹縁部３７側に傾けて凹縁部３７内に逃がすようにし、指の腹でアーム部２１の中間部を押圧することができる。このため、指先の爪がロックアーム１８に当たる等してロックアーム１８が傷付くのが防止される。また、凹縁部３７に指の腹を沿わせながらロック解除操作を行うことができ、指へのフィット感に優れる。
【００４８】
＜実施形態５＞
図１４は、本発明の実施形態５を示す。実施形態５では、ロックアーム１８をロック解除方向に押圧する操作を容易に行う手段（押圧容易部）として、ブリッジ部２６に代えて凹面部３８を設けている点で実施形態１とは異なる。その他は実施形態１と概ね同様であり、実施形態１と同様の構成には同一符合を付し、重複する説明は省略する。
【００４９】
ロックアーム１８はブリッジ部２６を有さず、両アーム片２２の中間部同士は互いに連結されることなく離間されている。
両アーム片２２の中間部の上面には、解除空間３２に臨む位置に、側面視弧状の凹面部３８が凹み形成されている。詳細には凹面部３８は指先の形状に沿うようなアール状をなしている。
【００５０】
両ハウジング１０、６０を互いに離脱させるにあたり、解除空間３２に上方から指を挿入すると、指の先端が凹面部３８に当接してこれを押圧することにより、ロックアーム１８をロック解除方向に撓み変形させることができる。この場合、凹面部３８に指先が宛がわれるため、指へのフィット感に優れる。また、ロックアーム１８を押圧する際に、両アーム片２２の上面を指が滑るのを回避できる。さらに、ロック解除操作を行うときに、凹面部３８を目印として解除空間３２に指を挿入することができる。
【００５１】
＜実施形態６＞
図１５及び図１６は、本発明の実施形態６を示す。実施形態６では、ロックアーム１８をロック解除方向に押圧する操作を容易に行う手段（押圧容易部）として、ブリッジ部２６に代えて可撓片３９を設けている点で実施形態１とは異なる。その他は実施形態１と概ね同様であり、実施形態１と同様の構成には同一符合を付し、重複する説明は省略する。
【００５２】
ロックアーム１８はブリッジ部２６を有さず、両アーム片２２の中間部同士は互いに連結されることなく離間されている。
第１壁２８には、その前端から解除空間３２の開口を覆うように突出する可撓片３９が撓み可能に形成されている。可撓片３９は、第１壁２８に連結される基端から先端に向けて厚みを減少させる薄肉の形状をなし、上下方向に撓み可能とされている。両アーム片２２の中間部における前端部を除く部分は、可撓片３９により平面視で隠れるようになっている。
【００５３】
両ハウジング１０、６０を離脱させるにあたり、解除空間３２に上方から指を挿入すると、指の先端が可撓片３９に当接してこれを押圧し、可撓片３９が下方へ撓み変形される。すると、撓み変形された可撓片３９が今度は両アーム片２２の中間部を押圧し、両アーム片２２が下方へ撓み変形されて、相手ロック部６２との係止状態が解除される。この状態で、両ハウジング１０、６０を互いに反対方向に引っ張ることにより、両ハウジング１０、６０を互いに引き離すことが可能になる。
【００５４】
実施形態６によれば、解除空間３２に指をさほど深く挿入しなくても、ロック解除操作を容易に行うことができる。また、可撓片３９によってロックアーム１８の中間部が外部異物から保護され、ロックアーム１８の中間部が損傷されるのを回避できる。また、可撓片３９が一枚板状をなすから、両アーム片２２間のロック溝２４に指先の一部が入り込むのが回避され、指先が痛むのが防止される。さらに、可撓片３９が第１壁２８から延びる形態であるから、ロックアーム１８の先端寄りの位置を押圧することができ、ロックアーム１８の撓み量を大きく確保できる結果、相手ロック部６２との係止状態を解除し易い。さらにまた、解除空間３２の開口の大部分が可撓片３９によって塞がるから、両ハウジング１０、６０の嵌合時に鳴るロック音の音響効果の改善を期待することができる。
【００５５】
＜実施形態７＞
図１７ないし図２１は、本発明の実施形態７を示す。実施形態７では、ロックアーム１８をロック解除方向に押圧する操作を容易に行う手段（押圧容易部）として、ブリッジ部２６に代えて相手可撓片４１を設けている点で実施形態１とは異なる。その他は実施形態１と概ね同様であり、実施形態１と同様の構成には同一符合を付し、重複する説明は省略する。
【００５６】
図２１に示すように、ロックアーム１８はブリッジ部２６を有さず、両アーム片２２の中間部同士は互いに連結されることなく離間されている。
相手ロック部６２は、図２０に示すように、ロック爪６３の先端から先方へ突出する相手可撓片４１が撓み可能に形成されている。相手可撓片４１は、図１９に示すように、ロック爪６３の前端に沿った幅広の一枚板状をなし、両ハウジング１０、６０の嵌合時に、解除空間３２の開口を覆うように配置され、ひいては両アーム片２２の中間部を上方から覆うように配置される。両アーム片２２の中間部における後端部の除く部分は、両ハウジング１０、６０の嵌合時に、相手可撓片４１により平面視で隠れるようになっている。
【００５７】
両ハウジング１０、６０を離脱させるにあたり、図１７から図１８にかけて示すように、解除空間３２に上方から指を挿入すると、指の先端が相手可撓片４１に当接してこれを押圧し、相手可撓片４１が下方へ撓み変形される。すると、撓み変形された相手可撓片４１が今度は両アーム片２２の中間部を押圧し、両アーム片２２が下方へ撓み変形されて、ロック爪６３がロック溝２４から離間してロックアーム１８との係止状態を解除する。この状態で、両ハウジング１０、６０を互いに反対方向に引っ張ることにより、両ハウジング１０、６０を互いに引き離すことが可能になる。
【００５８】
実施形態７によれば、解除空間３２に指をさほど深く挿入しなくても、ロック解除操作を容易に行うことができる。また、相手可撓片４１が相手ハウジング６０に形成され、ハウジング１０にブリッジ部２６等を形成しなくて済むから、第１、第２壁２８、２９及び解除空間３２の形状の自由度が高められ、既存のハウジング１０を適用することも可能になる。さらに、相手可撓片４１が相手ロック部６２から延びる形態であるから、ロックアーム１８の基端寄りの位置を押圧することができ、相手可撓片４１の押し込み量が小さくても、ロックアーム１８の変位量を大きく確保することができる。さらにまた、解除空間３２の開口の大部分が相手可撓片４１によって塞がるから、両ハウジング１０、６０の嵌合時に鳴るロック音の音響効果の改善を期待することができる。
【００５９】
＜他の実施形態＞
本発明は上記記述及び図面によって説明した実施形態に限定されるものではなく、例えば次のような実施形態も本発明の技術的範囲に含まれる。
（１）実施形態１におけるブリッジ部の上面に、実施形態２における突部を形成する等して、実施形態１〜７に開示の技術を各実施形態間で適宜混成して用いてもよい。
（２）実施形態３では、第１壁の高さ位置を上方に配置することにより、ロック溝を形成しないようにすることも可能である。
（３）実施形態６、７では、可撓片又は相手可撓片が二股状に分割して形成されていてもよい。これにより、可撓片又は相手可撓片の撓み性の向上を図ることができる。
（４）上記実施形態１〜７とは逆に、ハウジングはタブを有する雄端子金具を装着可能な雄ハウジングであってもよく、相手ハウジングはタブを受ける雌端子金具を装着可能な雌ハウジングであってもよい。
【符号の説明】
【００６０】
１０…ハウジング
１８、１８Ａ…ロックアーム
２１、２１Ａ…アーム部
２２…アーム片
２３…ロック本体
２４…ロック溝
２６…ブリッジ部
２８…第１壁
２９…第２壁
３２…解除空間
３３…突部
３５…ロック突起
３７…凹縁部
３８…凹面部
３９…可撓片
４１…相手可撓片
６０…相手ハウジング
６２、６２Ａ…相手ロック部
【図１】
2011018617.tif 000003
【図２】
2011018617.tif 000004
【図３】
2011018617.tif 000005
【図４】
2011018617.tif 000006
【図５】
2011018617.tif 000007
【図６】
2011018617.tif 000008
【図７】
2011018617.tif 000009
【図８】
2011018617.tif 000010
【図９】
2011018617.tif 000011
【図１０】
2011018617.tif 000012
【図１１】
2011018617.tif 000013
【図１２】
2011018617.tif 000014
【図１３】
2011018617.tif 000015
【図１４】
2011018617.tif 000016
【図１５】
2011018617.tif 000017
【図１６】
2011018617.tif 000018
【図１７】
2011018617.tif 000019
【図１８】
2011018617.tif 000020
【図１９】
2011018617.tif 000021
【図２０】
2011018617.tif 000022
【図２１】
2011018617.tif 000023